(57)【要約】【課題】ユーザが容易に画像の表示領域を変更できるようにする。【解決手段】表示制御装置１０は、表示装置２の位置に対して固定された位置に設けられている撮像装置１が撮像したユーザの画像を取得する取得部１２２と、取得部１２２が取得した画像における、ユーザの顔に予め定められた基準点の位置を特定する位置特定部１２３と、位置特定部１２３が特定した基準点の位置と、表示装置２の位置との関係に基づいて、表示装置２に表示する表示画像における表示領域の位置を変化させ、表示画像のうち表示領域に含まれる部分画像を表示装置に表示させる表示制御部１２４と、を備える。【選択図】図３
2019144438.tif 000002
【特許請求の範囲】
【請求項１】
表示部の位置に対して固定された位置に設けられている撮像部が撮像したユーザの画像を取得する取得部と、
前記取得部が取得した前記画像における、前記ユーザの顔に予め定められた基準点の位置を特定する位置特定部と、
前記位置特定部が特定した前記基準点の位置と、前記表示部の位置との関係に基づいて、前記表示部に表示する表示画像における表示領域の位置を変化させ、前記表示画像のうち前記表示領域に含まれる部分画像を前記表示部に表示させる表示制御部と、
を備える表示制御装置。
【請求項２】
前記表示制御部は、前記表示部の表示面と平行する平面であって、前記表示面に対する前記基準点の位置側の方向とは反対側の方向に位置する平面に前記表示画像が配置された場合の、前記基準点の位置と前記表示面上の所定位置とを通る直線と、前記表示画像との交点を頂点とする矩形領域を前記表示領域とする、
請求項１に記載の表示制御装置。
【請求項３】
前記基準点の位置と前記表示部の表示面上の所定位置との距離を特定する距離特定部をさらに備え、
前記表示制御部は、前記距離特定部が特定した距離に基づいて、前記表示領域の大きさを変化させ、前記表示領域に含まれる前記部分画像を前記表示部のサイズに合わせて表示させる、
請求項１又は２に記載の表示制御装置。
【請求項４】
前記表示制御部は、前記距離特定部が特定した距離が短くなるにしたがって前記表示領域を縮小させる、
請求項３に記載の表示制御装置。
【請求項５】
前記表示制御部は、前記距離特定部が特定した距離が短くなるにしたがって前記表示領域を拡大させる、
請求項３に記載の表示制御装置。
【請求項６】
前記表示部に表示させる前記表示画像の前記表示領域を変化させる表示制御の開始操作及び終了操作を受け付ける操作受付部をさらに備え、
前記表示制御部は、前記操作受付部が前記開始操作を受け付けてから前記終了操作を受け付けるまで、前記表示画像のうち前記表示領域に含まれる部分画像を前記表示部に表示させる、
請求項１から５のいずれか１項に記載の表示制御装置。
【請求項７】
コンピュータが実行する、
表示部の位置に対して固定された位置に設けられている撮像部が撮像したユーザの画像を取得するステップと、
取得された前記画像における、前記ユーザの顔に予め定められた基準点の位置を特定するステップと、
特定された前記基準点の位置と、前記表示部の位置との関係に基づいて、前記表示部に表示する表示画像における表示領域の位置を変化させ、前記表示画像のうち前記表示領域に含まれる部分画像を前記表示部に表示させるステップと、
を備える表示制御方法。
【発明の詳細な説明】
【技術分野】
【０００１】
本開示は、表示制御装置及び表示制御方法に関する。
【背景技術】
【０００２】
従来、車両に搭載された表示部や携帯端末の表示部等の画面のサイズが制限される表示部に画像を表示させることが行われている（例えば、特許文献１参照）。
【先行技術文献】
【特許文献】
【０００３】
【特許文献１】特開平１１−４２９７１号公報
【発明の概要】
【発明が解決しようとする課題】
【０００４】
画面のサイズが制限されている表示部にサイズが大きい画像を表示させる場合には、当該画像の一部しか表示されない場合がある。ユーザが当該画像の全体を確認するには、操作部を操作することにより、表示を縮小させたり、画像をスクロールしたりする必要があり、操作が煩雑であった。
【０００５】
そこで、本開示はこれらの点に鑑みてなされたものであり、ユーザが容易に画像の表示領域を変更できるようにする表示制御装置及び表示制御方法を提供することを目的とする。
【課題を解決するための手段】
【０００６】
本開示の第１の態様に係る表示制御装置は、表示部の位置に対して固定された位置に設けられている撮像部が撮像したユーザの画像を取得する取得部と、前記取得部が取得した前記画像における、前記ユーザの顔に予め定められた基準点の位置を特定する位置特定部と、前記位置特定部が特定した前記基準点の位置と、前記表示部の位置との関係に基づいて、前記表示部に表示する表示画像における表示領域の位置を変化させ、前記表示画像のうち前記表示領域に含まれる部分画像を前記表示部に表示させる表示制御部と、を備える。
【０００７】
前記表示制御部は、前記表示部の表示面と平行する平面であって、前記表示面に対する前記基準点の位置側の方向とは反対側の方向に位置する平面に前記表示画像が配置された場合の、前記基準点の位置と前記表示面上の所定位置とを通る直線と、前記表示画像との交点を頂点とする矩形領域を前記表示領域としてもよい。
【０００８】
前記表示制御装置は、前記基準点の位置と前記表示部の表示面上の所定位置との距離を特定する距離特定部をさらに備え、前記表示制御部は、前記距離特定部が特定した距離に基づいて、前記表示領域の大きさを変化させ、前記表示領域に含まれる前記部分画像を前記表示部のサイズに合わせて表示させてもよい。
【０００９】
前記表示制御部は、前記距離特定部が特定した距離が短くなるにしたがって前記表示領域を縮小させてもよい。
前記表示制御部は、前記距離特定部が特定した距離が短くなるにしたがって前記表示領域を拡大させてもよい。
【００１０】
前記表示部に表示させる前記表示画像の前記表示領域を変化させる表示制御の開始操作及び終了操作を受け付ける操作受付部をさらに備え、前記表示制御部は、前記操作受付部が前記開始操作を受け付けてから前記終了操作を受け付けるまで、前記表示画像のうち前記表示領域に含まれる部分画像を前記表示部に表示させてもよい。
【００１１】
本開示の第２の態様に係る表示制御方法は、コンピュータが実行する、表示部の位置に対して固定された位置に設けられている撮像部が撮像したユーザの画像を取得するステップと、取得された前記画像における、前記ユーザの顔に予め定められた基準点の位置を特定するステップと、特定された前記基準点の位置と、前記表示部の位置との関係に基づいて、前記表示部に表示する表示画像における表示領域の位置を変化させ、前記表示画像のうち前記表示領域に含まれる部分画像を前記表示部に表示させるステップと、を備える。
【発明の効果】
【００１２】
本開示によれば、ユーザが容易に画像の表示領域を変更できるようにすることができるという効果を奏する。
【図面の簡単な説明】
【００１３】
【図１】第１実施形態に係る表示制御装置が搭載される車両の構成を説明するための図である。
【図２】第１実施形態に係る表示制御装置の概要を説明するための図である。
【図３】第１実施形態に係る表示制御装置の構成を説明するための図である。
【図４】第１実施形態に係る基準点の移動量と表示領域のスクロール量との関係の一例を示す図である。
【図５】第１実施形態に係る表示制御装置が実行する処理の流れを説明するためのフローチャートである。
【図６】表示制御装置として機能する携帯端末の構成を示す図である。
【図７】第２実施形態に係る表示制御装置の構成を説明するための図である。
【発明を実施するための形態】
【００１４】
＜第１実施形態の概要＞
図１は、第１実施形態に係る表示制御装置１０が搭載される車両Ｖの構成を説明するための図である。第１実施形態に係る表示制御装置１０は、車両Ｖに搭載され、車両Ｖに設けられている表示装置２の表示を制御するために用いられる。第１実施形態に係る表示制御装置１０は、例えば、バスやトラック等の車両Ｖに用いられる。
【００１５】
図２は、第１実施形態に係る表示制御装置１０の概要を説明するための図である。第１実施形態において、表示制御装置１０は、表示装置２の近傍に設けられている操作ボタン３が操作されると、撮像装置１が撮像した車両Ｖの運転者（ユーザ）の画像を解析し、図２に示すように、画像に示される運転者の顔Ｆに予め定められた基準点の位置ＰＦを特定する。表示制御装置１０は、特定された基準点の位置ＰＦと、表示装置２の位置との関係に基づいて、表示装置２に表示する表示画像ｉにおける表示領域Ａの位置を変化させ、表示画像ｉのうち当該表示領域Ａに含まれる部分画像を表示装置２に表示させる。このようにすることで、運転者は、表示装置２に対する自身の顔の位置を変化させて、容易に表示画像ｉの表示領域を変更することができる。
【００１６】
＜表示制御装置１０の構成＞
続いて、表示制御装置１０の構成について説明する。図３は、表示制御装置１０の構成を示す図である。図３に示すように、表示制御装置１０は、車両Ｖに設けられている撮像装置１と表示装置２と操作ボタン３とに接続されている。
【００１７】
撮像装置１は、車両Ｖに搭載された車載カメラである。撮像装置１は、表示装置２の位置に対して固定された位置に設けられている。撮像装置１は、例えば、表示装置２の近傍に設けられている。撮像装置１は、撮像部として機能し、車両Ｖの運転席を撮像することにより、車両Ｖの運転者の顔を撮像する。
【００１８】
表示装置２は、車両Ｖに搭載された液晶ディスプレイや有機ＥＬ（Electro-Luminescence）ディスプレイ等であり、表示部として機能する。表示装置２は、表示制御部１２４の制御に応じて各種情報や画像を表示する。
操作ボタン３は、例えば表示装置２の近傍に設けられており、表示装置２に表示される画像の表示領域を変化させる表示制御の開始指示に係る操作及び終了指示に係る操作を受け付ける。
【００１９】
表示制御装置１０は、記憶部１１と、制御部１２とを備える。
記憶部１１は、例えばＲＯＭ（Read Only Memory）やＲＡＭ（Random Access Memory）やハードディスクである。記憶部１１は、制御部１２を機能させるための各種のプログラムを記憶する。記憶部１１は、制御部１２を、操作受付部１２１、取得部１２２、位置特定部１２３、及び表示制御部１２４として機能させるプログラムを記憶する。
【００２０】
制御部１２は、例えばＥＣＵ（Electronic Control Unit）である。制御部１２は、記憶部１１に記憶されているプログラムを実行することにより、操作受付部１２１、取得部１２２、位置特定部１２３、及び表示制御部１２４として機能する。
【００２１】
操作受付部１２１は、操作ボタン３を介して、車両Ｖの運転者から、表示装置２に表示される画像の表示領域を変化させる表示制御の開始指示に係る操作（開始操作）を受け付ける。また、操作受付部１２１は、表示装置２に表示される画像の表示領域を変化させる表示制御が行われている場合に、操作ボタン３を介して、車両Ｖの運転者から、当該表示制御の終了指示に係る操作（終了操作）を受け付ける。
【００２２】
取得部１２２は、撮像装置１が撮像した運転者の画像を取得する。例えば、取得部１２２は、操作受付部１２１が開始操作を受け付けると、所定時間（例えば、１００ミリ秒）おきに、撮像装置１が撮像した運転者の画像を取得する。取得部１２２は、操作受付部１２１が終了操作を受け付けると、撮像装置１に撮像を終了させ、運転者の画像の取得を停止する。
【００２３】
位置特定部１２３は、取得部１２２が取得した画像における、運転者の顔に予め定められた基準点の位置を特定する。具体的には、位置特定部１２３は、取得部１２２が取得した画像を解析し、画像における運転者の両目のそれぞれの位置を特定する。位置特定部１２３は、両目の中間点の位置を基準点の位置と特定する。ここで、取得部１２２は、表示装置２の表示面と平行な基準平面上に基準点があるとし、基準点の当該基準平面上の位置座標を算出することにより、基準点の位置を特定するものとする。
【００２４】
なお、位置特定部１２３は、取得部１２２が取得した画像を解析し、運転者の顔の輪郭を特定してもよい。そして、位置特定部１２３は、運転者の顔の輪郭に基づいて、運転者の顔の中心位置を基準点の位置に特定してもよい。また、位置特定部１２３は、運転者がサングラスをかけていること等により両目の中間点を特定できない場合に、運転者の顔の輪郭に基づいて基準点の位置を特定してもよい。
【００２５】
表示制御部１２４は、位置特定部１２３が特定した基準点の位置と、表示装置２の位置との関係に基づいて、表示装置２に表示する表示画像における表示領域の位置を変化させ、表示画像のうち表示領域に含まれる部分画像を表示装置２に表示させる。表示制御部１２４は、操作受付部１２１が開始操作を受け付けてから終了操作を受け付けるまで、表示画像のうち表示領域に含まれる部分画像を表示装置２に表示させる。ここで、表示画像は、例えば、画像ファイルが示す画像や、運転者に目的地までの経路等をナビゲートするナビゲート装置が生成する地図画像である。例えば、表示制御部１２４は、表示画像のサイズが、表示装置２の表示面のサイズよりも大きい場合に、表示画像のうち表示領域に含まれる部分画像を表示装置２に表示させる。
【００２６】
表示制御部１２４は、図２に示すように、表示装置２の表示面と平行する所定平面であって、当該表示面に対する基準点の位置側の方向とは反対側の方向に位置する所定平面に表示画像ｉを仮想的に配置する。例えば、表示制御部１２４は、操作受付部１２１が開始操作を受け付けたときに取得部１２２が取得した画像に対応する基準点の位置を、基準点の原点とする。そして、表示制御部１２４は、当該原点と、表示装置２の表示面の中心位置とを通る直線と所定平面との交点が、表示画像ｉの中心となるように表示画像ｉを仮想的に配置する。
【００２７】
なお、表示制御部１２４は、運転者が車両Ｖを運転しているときの平均的な顔の位置に対応する基準点の位置と、表示装置２の表示面の中心位置とを通る直線と所定平面との交点が、表示画像ｉの中心となるように表示画像ｉを仮想的に配置してもよい。
【００２８】
そして、表示制御部１２４は、当該表示画像ｉが所定平面に配置された場合の、基準点の位置ＰＦと表示面の４つの頂点のいずれかを通る４本の直線と、表示画像ｉとの４つの交点によって囲まれる領域を表示領域とする。
【００２９】
例えば、表示制御部１２４は、表示領域を以下のように特定する。まず、表示制御部１２４は、当該表示画像ｉが所定平面に配置された場合の、基準点の位置ＰＦと表示面上の所定位置ＰＤとを通る直線と、表示画像ｉとの交点ＰＡの位置を算出する。
【００３０】
ここで、基準点が位置し、表示装置２の表示面と平行する基準平面と、表示装置２の表示面との距離をＤ１、表示装置２の表示面と表示画像ｉとの距離をＤ２、基準点の位置座標を（Ｘｐｆ，Ｙｐｆ）、表示面における所定位置の位置座標を（Ｘｐｄ，Ｙｐｄ）、交点ＰＡの位置座標を（Ｘｐａ，Ｙｐａ）とすると、交点ＰＡのＸ座標は以下の式（１）、交点ＰＡのＹ座標は以下の式（２）で示される。
【００３１】
2019144438.tif 000003
2019144438.tif 000004
【００３２】
また、表示面の縦方向の長さをＬｘ、横方向の長さをＬｙとすると、表示領域の縦方向の長さＬｉｘ、横方向の長さＬｉｙは、以下の式（３）、（４）で示される。
2019144438.tif 000005
2019144438.tif 000006
【００３３】
表示制御部１２４は、交点ＰＡを頂点とする矩形領域を表示領域Ａとする。表示制御部１２４は、交点ＰＡを頂点とし、表示装置２の表示面の表示領域と同じ縦横比の矩形領域を表示領域Ａとする。例えば、表示領域Ａとしての矩形領域における交点ＰＡ以外の他の３つの頂点の座標は、（Ｘｐａ＋Ｌｉｘ，Ｙｐａ）、（Ｘｐａ，Ｙｐａ＋Ｌｉｙ）、（Ｘｐａ＋Ｌｉｘ，Ｙｐａ＋Ｌｉｙ）となる。
【００３４】
表示制御部１２４は、操作受付部１２１が開始操作を受け付けた後に取得部１２２が取得した画像に基づいて位置特定部１２３が新たに特定した基準点の位置を特定する。そして、表示制御部１２４は、基準点の位置を示す値を（１）、（２）に入力することにより、交点ＰＡの位置を特定し、交点ＰＡの位置に基づいて表示領域Ａの範囲を特定する。
【００３５】
なお、表示制御部１２４は、基準点の位置の移動量に基づいて交点ＰＡの位置を特定し、交点ＰＡの位置に基づいて表示領域Ａの範囲を特定したが、これに限らない。表示制御装置１０は、原点からの基準点の位置の移動量と、表示領域Ａのスクロール量とを関連付けたスクロール情報として記憶部１１に予め記憶させておいてもよい。
【００３６】
図４は、本実施形態に係る基準点の移動量と表示領域Ａのスクロール量との関係の一例を示す図である。図４に示す例は、例えば、基準点のＸ軸方向への移動量と、表示領域ＡのＸ軸方向へのスクロール量との関係を示している。図４に示すように、移動量に対するスクロール量は、非線形的に増加する。例えば、移動量が小さい場合のスクロール量は、移動量が大きい場合のスクロール量に比べて大きい。このようにすることで、原点に近い位置において顔を移動させた場合に、スクロール量が多くなるので、運転者は首の動きに負担なく、表示領域Ａを大きく変更することができる。
【００３７】
なお、図示は省略するが、記憶部１１には、基準点のＹ軸方向への移動量と、表示領域ＡのＹ軸方向へのスクロール量とを関連付けたスクロール情報が記憶部１１に予め記憶されているものとする。そして、表示制御部１２４は、基準点の位置の移動量を特定すると、スクロール情報を参照し、当該移動量に関連付けられている表示領域Ａのスクロール量を特定する。
【００３８】
表示制御部１２４は、当該表示領域Ａに含まれる部分画像を、表示装置２の表示面のサイズに合わせて表示させる。表示制御部１２４は、表示領域Ａに含まれる部分画像を縮小表示する。
【００３９】
なお、交点ＰＡを算出した結果、交点ＰＡの座標が、表示画像ｉに対応する座標の範囲外となることがある。この場合、表示制御部１２４は、交点ＰＡの位置座標を、当該位置座標から最も近い表示画像ｉ上の位置座標に補正する。
【００４０】
また、表示制御部１２４は、運転者が操作ボタン３を操作したことに応じて、表示画像における表示領域の位置を変化させたが、これに限らない。例えば、取得部１２２に、運転中の運転者の画像を取得させておき、表示制御部１２４が、当該画像に基づいて、運転者がウィンクをしていることを検出してもよい。そして、表示制御部１２４は、運転者がウィンクをしてから次にウィンクをするまでの間、又は運転者がウィンクしている間に、表示画像における表示領域の位置を変化させてもよい。
【００４１】
＜表示制御装置１０が実行する画像表示の処理フロー＞
図５は、第１実施形態に係る表示制御装置１０が実行する処理の流れを説明するためのフローチャートである。なお、本フローチャートでは、車両Ｖに設けられている操作ボタンが押下されてから次に押下されるまでの間に、原点からの基準点の位置の移動量に基づいて表示領域を変化させる例について説明する。
【００４２】
まず、制御部１２は、操作ボタンが押下されたか否かを判定する（Ｓ１）。制御部１２は、操作ボタンが押下されたと判定すると、Ｓ２に処理を移し、操作ボタンが押下されていないと判定すると、Ｓ１を再実行する。
【００４３】
続いて、取得部１２２は、撮像装置１が撮像した画像を取得する（Ｓ２）。
続いて、位置特定部１２３は、Ｓ２において取得された画像に基づいて、運転者の顔に予め定められた基準点の位置を特定し、当該位置を基準点の原点と特定する（Ｓ３）。
【００４４】
続いて、取得部１２２は、撮像装置１が撮像した画像を取得する（Ｓ４）。
続いて、位置特定部１２３は、Ｓ４において取得された画像に基づいて、運転者の顔に予め定められた基準点の位置を特定する。そして、表示制御部１２４は、原点の位置から基準点の位置への移動量を特定する（Ｓ５）。
【００４５】
続いて、表示制御部１２４は、Ｓ５において特定した移動量に基づいて、表示装置２に表示する表示画像における表示領域の位置を特定する（Ｓ６）。
続いて、表示制御部１２４は、Ｓ４において特定された表示領域に含まれる部分画像を、表示装置２の表示面のサイズに合わせて表示させる（Ｓ７）。
【００４６】
続いて、制御部１２は、操作ボタンが押下されたか否かを判定する（Ｓ８）。制御部１２は、操作ボタンが押下されたと判定すると、本フローチャートに係る処理を終了し、操作ボタンが押下されていないと判定すると、Ｓ４に処理を移す。
【００４７】
＜第１実施形態に係る効果＞
以上説明したように、第１実施形態に係る表示制御装置１０は、撮像装置１が撮像した画像における、運転者の顔に予め定められた基準点の位置を特定し、当該基準点の位置と、表示装置２の位置との関係に基づいて、表示装置２に表示する表示画像における表示領域の位置を変化させ、表示画像のうち表示領域に含まれる部分画像を表示装置２に表示させる。このようにすることで、運転者は、表示装置２に対する自身の顔の位置を変化させることにより、表示画像の表示領域を容易に変更することができる。
【００４８】
また、表示制御装置１０は、表示装置２の表示面と平行する平面であって、当該表示面に対する基準点の位置側の方向とは反対側の方向に位置する平面に表示画像が配置された場合の、基準点の位置と当該表示面上の所定位置とを通る直線と、表示画像との交点を頂点とする矩形領域を表示領域とする。このようにすることで、運転者は、あたかも表示装置２よりも奥に配置されている表示画像を覗き込むような感覚で部分画像を確認することができる。
【００４９】
なお、本実施形態では、表示制御装置１０が、車両Ｖに設けられている例について説明したが、これに限らない。表示制御装置１０は、例えば、携帯端末であってもよい。図６は、表示制御装置１０として機能する携帯端末２０の構成を示す図である。
【００５０】
図６に示すように、携帯端末２０は、撮像部２１と、入力部２２と、表示部２３と、記憶部２４と、制御部２５とを備える。
撮像部２１は、撮像装置１と同じ機能を有している。撮像部２１は、表示部２３の位置に対して固定された位置に設けられている。
表示部２３は、例えば、液晶ディスプレイや有機ＥＬディスプレイ等により構成される。
【００５１】
制御部２５は、操作受付部２５１と、取得部２４２と、位置特定部２５３と、表示制御部２５４として機能する。操作受付部２５１、取得部２４２、位置特定部２５３及び表示制御部２５４は、それぞれ、操作受付部１２１、取得部１２２、位置特定部１２３及び表示制御部１２４と同じ機能を有している。
【００５２】
携帯端末２０は、表示制御装置１０と同様に、撮像部２１が撮像した画像における、携帯端末２０のユーザの顔に予め定められた基準点の位置を特定し、当該基準点の位置と、表示部２３の位置との関係に基づいて、表示部２３に表示する表示画像における表示領域の位置を変化させ、表示画像のうち表示領域に含まれる部分画像を表示部２３に表示させる。このようにすることで、携帯端末２０のユーザは、表示部２３に対する自身の顔の位置を変化させたり、自身の顔に対して携帯端末２０を傾けて撮像部２１が撮像する位置を変化させたりすることにより、表示画像の表示領域を容易に変更することができる。
【００５３】
＜第２実施形態＞
続いて、第２実施形態について説明する。第２実施形態に係る表示制御装置１０は、運転者と表示装置２との距離を考慮して、表示装置２に表示させる部分画像の表示範囲を変化させる点で第１実施形態と異なる。以下に、第２実施形態に係る表示制御装置１０について説明する。なお、第１実施形態と同じ部分については適宜説明を省略する。
【００５４】
図７は、第２実施形態に係る表示制御装置１０の構成を示す図である。図７に示すように、第２実施形態に係る表示制御装置１０は、距離特定部１２５をさらに備える。
第２実施形態において、撮像装置１は、例えば、撮像素子が２つ設けられたステレオカメラである。
【００５５】
取得部１２２は、撮像装置１から、２つの撮像素子のそれぞれにより生成された、運転者の顔を撮像した２つの画像を取得する。
位置特定部１２３は、取得部１２２が取得した２つの画像に基づいて、運転者の顔に予め定められた基準点の三次元位置を特定する。
【００５６】
距離特定部１２５は、基準点の位置と表示装置２の表示面上の所定位置との距離を特定する。例えば、距離特定部１２５は、取得部１２２が基準点の三次元位置と、予め定められている表示装置２の表示面上の所定位置に対応する三次元位置とに基づいて、基準点の位置と、当該所定位置との距離を算出する。
【００５７】
なお、距離特定部１２５は、取得部１２２が基準点の三次元位置と、表示装置２の表示面上の所定位置に対応する三次元位置とに基づいて、基準点の位置と、当該所定位置との距離を算出したがこれに限らない。例えば、ミリ波センサ等の物体との距離を測定するセンサを用いて、基準点の位置と、当該所定位置との距離を特定してもよい。
【００５８】
表示制御部１２４は、距離特定部１２５が特定した距離に基づいて、表示領域の大きさを変化させる。第１実施形態において式（３）及び（４）に示されるように、表示領域の縦方向の長さと横方向の長さとは、距離Ｄ１及び距離Ｄ２が変化することによって変化する。表示制御部１２４は、基準点に対応する平面と、表示装置２の表示面との距離Ｄ１を固定するとともに、距離特定部１２５が特定した距離に基づいて、表示装置２の表示面と表示画像との距離Ｄ２を変化させる。
【００５９】
表示制御部１２４は、距離特定部１２５が特定した距離が短くなるにしたがって、距離Ｄ２を短くし、表示領域を縮小させてもよい。このようにすることで、運転者は、表示装置２に顔を近づけることで、表示画像の広い範囲を確認することができる。
【００６０】
また、表示制御部１２４は、距離特定部１２５が特定した距離が短くなるにしたがって、距離Ｄ２を長くし、表示領域を拡大させてもよい。このようにすることで、運転者は、表示装置２に顔を近づけることで、表示画像のうち、確認したい部分を拡大させて確認することができる。
【００６１】
なお、表示制御部１２４は、基準点に対応する平面と、表示装置２の表示面との距離Ｄ１を固定し、表示装置２の表示面と表示画像との距離Ｄ２を変化させたが、これに限らない。表示制御部１２４は、表示装置２の表示面と表示画像との距離Ｄ２を固定させ、距離特定部１２５が特定した距離を距離Ｄ１としてもよい。このようにすることで、表示制御装置１０は、距離Ｄ１を固定するとともに、距離Ｄ２を変化させた場合と同様に、表示領域の大きさを変化させることができる。
【００６２】
＜第２実施形態に係る効果＞
以上説明したように、第１実施形態に係る表示制御装置１０は、基準点の位置と表示装置２の表示面上の所定位置との距離とに基づいて表示領域の大きさを変化させ、当該表示領域に含まれる部分画像を表示装置２の表示面のサイズに合わせて表示させる。このようにすることで、運転者は、操作部を操作することなく、表示画像に含まれる部分画像の表示を縮小又は拡大させることができる。
【００６３】
以上、本発明を実施の形態を用いて説明したが、本発明の技術的範囲は上記実施の形態に記載の範囲には限定されない。例えば、表示装置２は、車両Ｖに車載モニターや携帯端末２０に設けられる表示部の他に、パソコンのディスプレイであってもよい。
【００６４】
また、上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６５】
１・・・撮像装置
２・・・表示装置
３・・・操作ボタン
１０・・・表示制御装置
１１・・・記憶部
１２・・・制御部
１２１・・・操作受付部
１２２・・・取得部
１２３・・・位置特定部
１２４・・・表示制御部
１２５・・・距離特定部
２０・・携帯端末
２１・・・撮像部
２２・・・入力部
２３・・・表示部
２４・・・記憶部
２５・・・制御部
２５１・・・操作受付部
２５２・・・取得部
２５３・・・位置特定部
２５４・・・表示制御部
Ｖ・・・車両
【図１】
2019144438.tif 000007
【図２】
2019144438.tif 000008
【図３】
2019144438.tif 000009
【図４】
2019144438.tif 000010
【図５】
2019144438.tif 000011
【図６】
2019144438.tif 000012
【図７】
2019144438.tif 000013